(57)【要約】      （修正有）【課題】一つの容器サンプルから枠材の外面の模様をカストマー毎に任意に取り替えることができる食品包装用簡易容器を提供する。【解決手段】食品包装用簡易容器１０の枠の外面に取り付けたマグネットシートの巾と長さに合わせて調製した柄模様を設けた磁性プレート４を、枠の全周面に取り外し自在に貼着する。【選択図】図３
0003115504.tif 000002
【実用新案登録請求の範囲】
【請求項１】
プラスチック材からなる食品包装用簡易容器において、柄模様を貼り替えることができる食品包装用簡易容器。
【請求項２】
柄模様を貼り替える箇所が、枠外面である請求項１に記載の食品包装用簡易容器。
【請求項３】
柄模様の貼り替えが、容器の外面に取り付けた磁性体と、この磁性体に貼着する柄模様付の磁性プレートからなる請求項１または２に記載の食品包装用簡易容器。
【考案の詳細な説明】
【技術分野】
【０００１】
本考案は、基本的には発泡プラスチック材からなる枠材と内容器とからなる食品包装用簡易容器、とくに、外面模様を取り替えることができる食品包装用簡易容器に関する。
【背景技術】
【０００２】
食品包装用容器の販売に際しては、お客にサンプルを見せて、プレゼンテーションを行う。
【０００３】
その際、お客毎に、また、サンプル毎に外面に異なった模様を形成して、簡易容器のイメージ向上を狙っている。  
【０００４】
ところが、サンプル毎に異なった模様を形成するためには、通常外面に現れる枠に特定模様のテープ紙材を貼り付けるか、枠材の外面に多くの模様、図柄を施したものを用意する必要があり、そのため、一つの柄模様を施した一つの容器のサンプルを製作しており、きわめて無駄なことであった。  多くのサンプルの展示箇所あるいはカストマー毎に対応する準備は大層手間を要するものであった。
【０００５】
また、一つの柄模様について、一つの容器サンプルを製作、提案するため、多くの種類の提案が出来なかった。
【考案の開示】
【考案が解決しようとする課題】
【０００６】
本考案が解決しようとする課題は、一つの容器サンプルから枠材の外面の模様をカストマー毎に任意に取り替えることができる食品包装用簡易容器を提供することにある。
【課題を解決するための手段】
【０００７】
本考案は、貼り替え可能な柄模様を用意し、カストマーの要望に応じて柄模様を貼り替えることができる食品包装用簡易容器である。
【０００８】
柄模様を貼り替える箇所は、食品包装用簡易容器の容器本体内面、蓋、枠外側、その他の任意の箇所とすることができる。
【０００９】
貼り替えることができる柄模様は、貼着と剥がしを任意に可能にした紙、合成樹脂シートの片面に施してもよい、また、容器の外面に磁性体を接着しておき、片面に磁性を持つ他面に模様を施した磁性プレートを準備して、カストマーに応じて柄模様の貼り替えを可能とすることができる。
【考案の効果】
【００１０】
本考案によって以下の効果を奏する。
【００１１】
多数のカストマーに応じた多種類の模様プレートを準備するだけで、１個だけのサンプルであっても、多くのカストマーのニーズに合致した模様を有する食品包装用簡易容器とすることができる。
【００１２】
より低コストで、また、より短時間でカストマーの要望に応えられる。
【００１３】
従来よりも、数多くの柄模様サンプルをコンパクトに携帯できることになる。
【００１４】
カストマーの目の前で、柄模様の交換ができるため、お客様がイメージを掴み易い。
【００１５】
営業ツールとして、パソコン画面上での柄替え、色替えでは伝えにくかった実際のイメージが手に取って伝えられる。
【００１６】
従来は、容器サンプルごとに内容物（食材）を詰め替えてみて、色合いを見なければならなかったが、柄模様プレートを交換するだけで、内容物の詰め替えをしなくても、色合い、イメージを掴むことができる。
【００１７】
サンプル提示に際して、お弁当の食材を詰め替える手間が省ける。
【考案を実施するための最良の形態】
【００１８】
以下、添付図に示す実施例によって、本考案の実施形態を説明する。
【実施例】
【００１９】
図１は、一体成形したプラスチック内容器１を発泡プラスチック枠２に嵌合した嵌合型の食品包装用簡易容器に本考案を適用した例を示す。
【００２０】
同図においては、取替え用柄模様の貼着箇所を枠２の外面の４面としている。          ３は、その貼着箇所である枠２の外面に接着剤によって取り付けた磁性体であって、ほぼ枠２の外面の巾と長さよりも僅かに小さい柔らかいプラスチックシートであって、その外面は磁性体をコートした通常マグネットシートと称されるものである。このマグネットシート３を接着した食品包装用簡易容器１０が、個々のカストマーに示すサンプルの基材となるものである。
【００２１】
図２に示す４は、その片面を磁性とし、その外面に柄模様を転写その他の手段で設けた磁性プレートを示す。この外面に柄模様を設けた磁性プレート４の巾と長さは、簡易容器の枠２の外面の巾と長さ、それに、カストマーに対する宣伝効果を考えて、任意の大きさとすることができる。
【００２２】
図示する柄模様を設けた磁性プレート４は、食品包装用簡易容器１０の枠２の外面に取り付けたマグネットシート３の巾と長さに合わせて調製したものをａ、ｂ、ｃの３種類、準備した例を示しているが、これは、枠２の外周を覆う長さであってもよい。要は、カストマーに示す簡易容器の特徴を損なわず、カストマーのニーズを捉えた模様、宣伝文をその外面に形成したものであって、この磁性プレート４の貼着によって、外見も含めて容器としての品質と品位を落とさないものであればよく、さらには、簡易容器のメーカーの宣伝媒体とすることもできる。
【００２３】
図３は、図１に示すマグネットシート３を簡易容器１０の枠２の全周面に接着し、その磁性によって磁性プレート４を取り外し自在に貼着した状態を示す。
【００２４】
このように、磁性プレート４を貼着した簡易容器１０は、違和感を与えることなく、カストマーのニーズに合致した状態とすることができ、その商品価値を高めることがでる。
【００２５】
また、次ぎのカストマーへの場合は、第１のカストマーのための磁性プレート４を剥ぎ取り、次のカストマーのニーズにあった柄模様を設けた磁性プレート４を貼着し、次ぎのカストマーに対応することができる。
【図面の簡単な説明】
【００２６】
【図１】本考案に適用する食品用簡易容器を示す。
【図２】柄模様を設けた磁性プレートを示す。
【図３】図２に示す磁性プレートを貼着した食品用簡易容器を示す。
【符号の説明】
【００２７】
１．内容器
２．発泡プラスチック枠
３．マグネットシート
４．磁性プレート
【図１】
0003115504.tif 000003
【図２】
0003115504.tif 000004
【図３】
0003115504.tif 000005
【手続補正書】
【提出日】平成17年8月10日(2005.8.10)
【手続補正１】
【補正対象書類名】実用新案登録請求の範囲
【補正対象項目名】全文
【補正方法】変更
【補正の内容】
【実用新案登録請求の範囲】
【請求項１】
一体成形したプラスチック内容器と発泡プラスチック枠とからなる食品包装用簡易容器において、枠外面の柄模様を貼り替え可能に形成した食品包装用簡易容器。
【請求項２】
枠外面に磁性体を貼着した請求項１に記載の食品包装用簡易容器。
【請求項３】
枠外面に貼着した磁性体が枠の全周面に接着したマグネットシートであり、柄模様を施した磁性プレートをマグネットシート面に取り付け外し自在とした請求項１に記載の食品包装用簡易容器。